(57)【要約】【課題】  低温時にバイメタルが弁ディスクを持ち上げて内外輪弁座から離座開弁させたときに流体を短時間に排出できるディスク式スチームトラップを提供する。【解決手段】  内外輪弁座６，７の間の環状溝８の一部から形成した出口通路１０とは別に環状溝８にバイメタル収容凹部１２を形成し、バイメタル収容凹部１２から第２出口通路１６を形成し、バイメタル収容凹部１２にバイメタル１３を配置し、低温時にバイメタル１３が弁ディスク１１を持上げて内外輪弁座６，７から離座開弁させ流体を出口通路１０及び第２出口通路１６を通して排出し、高温時にバイメタル１３が弁ディスク１１に干渉しなくなる。低温時にバイメタル１３が弁ディスク１１を持上げて内外輪弁座６，７から離座開弁させ流体を出口通路１０及び第２出口通路１６を通して排出ものであるので、短時間でエアバインディングを解消できる。【選択図】  図３
2014156897.tif 000002
【特許請求の範囲】
【請求項１】
内外輪弁座の間の環状溝の一部から形成した出口通路とは別に環状溝にバイメタル収容凹部を形成し、バイメタル収容凹部から第２出口通路を形成し、バイメタル収容凹部にバイメタルを配置し、低温時にバイメタルが弁ディスクを持上げて内外輪弁座から離座開弁させ流体を出口通路及び第２出口通路を通して排出し、高温時にバイメタルが弁ディスクに干渉しなくなることを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特に、バイメタルを用いてエアバインディングを解消できるようにしたものに関する。
【背景技術】
【０００２】
ディスク式スチームトラップは内外輪弁座からなる弁座面に対して離着座する弁ディスクを、弁ディスクの背後に形成した変圧室の圧力変化によって自力的に制御して開閉弁させ復水を自動的に排出するものである。このものにおいては、始動時に空気が流入してきても、蒸気の場合と同様に瞬時に閉弁してしまい、一旦閉弁すると空気は蒸気と異なり凝縮作用を起こさないので、その後は開弁できない、いわゆるエアバインディングが起こる。そこで、従来からバイメタルを用いてこのエアバインディングを解消することが行なわれている。これは、バイメタルの温度変化による湾曲作用を利用して、低温時に弁ディスクを強制的に持上げて開弁させ、高温時に弁ディスクに干渉しない様にしたものである。この一例が特許文献１に示されている。これは、内外輪弁座の間の環状溝の一部から形成した出口通路とは別に環状溝にバイメタル収容凹部を形成し、バイメタル収容凹部にバイメタルを配置し、低温時にバイメタルが弁ディスクを持上げて内外輪弁座から離座開弁させ流体を出口通路を通して排出し、高温時にバイメタルが弁ディスクに干渉しなくなるものである。
【先行技術文献】
【特許文献】
【０００３】
【特許文献１】実公昭６２−４２２３９号公報
【発明の概要】
【発明が解決しようとする課題】
【０００４】
上記従来のディスク式スチームトラップは、低温時にバイメタルが弁ディスクを持上げて内外輪弁座から離座開弁させたときに流体を出口通路のみを通して排出するために、エアバインディングの解消に時間が掛かる問題点があった。
【０００５】
したがって本発明が解決しようとする課題は、低温時にバイメタルが弁ディスクを持ち上げて内外輪弁座から離座開弁させたときに流体を短時間に排出できるディスク式スチームトラップを提供することである。
【課題を解決するための手段】
【０００６】
上記の課題を解決するために、本発明のディスク式スチームトラップは、内外輪弁座の間の環状溝の一部から形成した出口通路とは別に環状溝にバイメタル収容凹部を形成し、バイメタル収容凹部から第２出口通路を形成し、バイメタル収容凹部にバイメタルを配置し、低温時にバイメタルが弁ディスクを持上げて内外輪弁座から離座開弁させ流体を出口通路及び第２出口通路を通して排出し、高温時にバイメタルが弁ディスクに干渉しなくなることを特徴とするものである。
【発明の効果】
【０００７】
本発明によれば、低温時にバイメタルが弁ディスクを持上げて内外輪弁座から離座開弁させ流体を出口通路及び第２出口通路を通して排出ものであるので、短時間でエアバインディングを解消できるという優れた効果を生じる。
【図面の簡単な説明】
【０００８】
【図１】本発明の実施の形態に係わるディスク式スチームトラップの断面図である。
【図２】図１のＡ−Ａ断面図である。
【図３】図２のＢ−Ｂ断面図である。
【発明を実施するための形態】
【０００９】
以下、本発明の実施の形態について、図１乃至図３を参照して説明する。本体１に同一軸上に入口２と出口３を形成し、この入口２及び出口３と連通する変圧室４を蓋部材５と本体１とで形成する。入口２と出口３の変圧室４側開口端に内輪弁座６と外輪弁座７を同心円状で同一平面に形成してその間に環状溝８を形成する。内外輪弁座６，７に離着座する円板状の弁ディスク１１を変圧室４内に配置する。入口２と変圧室４は内輪弁座６に形成した入口通路９を介して連通し、変圧室４と出口３は環状溝８の一部から形成した出口通路１０を介して連通する。
【００１０】
出口通路１０の近傍横の環状溝８にバイメタル収容凹部１２を形成し、バイメタル収容凹部１２にバイメタル１３を配置する。バイメタル１３はその下端を外輪弁座７の横孔１４にねじ込んだ固定部材１５により固定してバイメタル収容凹部１２に配置する。変圧室４と出口３は出口通路１０とは別にバイメタル収容凹部１２の底壁から形成した第２出口通路１６を介して連通する。また、変圧室４と出口３は出口通路１０及び第２出口通路１６とは別に環状溝の一部から形成した第３出口通路１７及び第４出口通路１８を介して連通する。バイメタルは熱膨張係数の異なる２種類の金属または合金を強固に一体に接着して板状に仕上げたもので、温度変化に応じて湾曲するものであり、本実施の形態のバイメタル１３は、短冊状のバイメタル平板を螺旋状に巻いて作ったつる巻き形をもう一度螺旋状に巻いて２重つる巻き形に形成する。最初のつる巻き形のときに内側が高膨張材料に外側が低膨張材料に成るようにする。このつる巻き形の場合、低温になると半径が小さくなり長さが長くなり、高温になるとこれとは逆に作用する。そして、これを用いて作った２重つる巻き形の場合、低温になると半径が小さくなり長さが長くなり、高温になるとこれとは逆に作用する。
【００１１】
上記実施の形態の作動を説明する。トラップ本体が低温の場合、バイメタル１３は伸張して弁ディスク１１の出口通路１０の近傍側を持上げて内外輪弁座６，７から離座開弁させ、出口通路１０の開度を大きくすることにより、また、流体を第２乃至第４出口通路を通して排出することにより、低温の復水や空気を短時間に排出する。これにより、エアバインディングを短時間に解消する。
【００１２】
そして高温復水が流入すれば、バイメタル１３は収縮して弁ディスク１１に関与しなくなる。以後周知のディスク式スチームトラップの作動原理に基づいて蒸気は逃さず復水のみを自動的に排出する。
【産業上の利用可能性】
【００１３】
本発明は、蒸気配管系に発生する復水を自動的に排出するディスク式スチームトラップに利用することができる。
【符号の説明】
【００１４】
１  本体
２  入口
３  出口
４  変圧室
５  蓋部材
６  内輪弁座
７  外輪弁座
８  環状溝
９  入口通路
１０  出口通路
１１  弁ディスク
１２  バイメタル収容凹部
１３  バイメタル
１４  横孔
１５  固定部材
１６  第２出口通路
１７  第３出口通路
１８  第４出口通路
【図１】
2014156897.tif 000003
【図２】
2014156897.tif 000004
【図３】
2014156897.tif 000005